(57)【要約】【課題】電子機器の機能の複雑化に伴い、設定可能なメニュー項目が増大し、多くのメニュー項目の中から、設定すべきメニュー項目の検索が困難であるという課題がある。【解決手段】液晶ビデオモニター１０６は、複数のメニュー項目から、設定対象のメニュー項目を検索するための、少なくともメニュー項目名及びメニュー項目設定値の何れかを入力する操作部１０４と、操作部１０４で入力されたメニュー項目名又はメニュー項目設定値を有するメニュー項目を検索し、検索されたメニュー項目に対するメニュー項目設定値の設定を可能とするメニュー設定画面を表示するマイコン１０２と、を備える。【選択図】図１
2011180874.tif 000002
【特許請求の範囲】
【請求項１】
複数のメニュー項目から、設定対象のメニュー項目を検索するための、少なくともメニュー項目名及びメニュー項目設定値の何れかを入力する操作部と、
前記操作部で入力されたメニュー項目名又はメニュー項目設定値を有するメニュー項目を検索する検索部と、
前記検索部で検索されたメニュー項目に対するメニュー項目設定値の設定を可能とするメニュー設定画面を表示するメニュー設定部と、
を備えるメニュー表示装置。
【請求項２】
前記検索部は、
前記メニュー項目名又は前記メニュー項目設定値に対する別名を保持し、前記操作部で入力されたメニュー項目名、メニュー項目設定値、又は別名を有するメニュー項目を検索する
請求項１に記載のメニュー表示装置。
【請求項３】
複数のメニュー項目から、設定対象のメニュー項目を検索するための、少なくともメニュー項目名及びメニュー項目設定値の何れかを入力する操作工程と、
前記操作工程で入力されたメニュー項目名又はメニュー項目設定値を有するメニュー項目を検索する検索工程と、
前記検索工程で検索されたメニュー項目に対するメニュー項目設定値の設定を可能とするメニュー設定画面を表示するメニュー設定工程と、
を含むメニュー表示方法。
【発明の詳細な説明】
【技術分野】
【０００１】
複数のメニュー項目を表示し、メニュー項目に対して値を設定するメニュー表示装置及びメニュー表示方法に関するものであり、特に多くのメニュー項目から、目的とするメニュー項目を選択するメニュー表示装置及びメニュー表示方法に関するものである。
【背景技術】
【０００２】
表示ディスプレイ装置を始めとする電子機器において、ユーザーは、表示部上に表示される各種メニュー項目から、メニュー項目を選択し、そのメニュー項目に設定すべき値を選択、入力することで、各種操作を実行する。
【０００３】
電子機器の多機能化に伴い、表示部上に表示されるメニュー項目は増加する傾向にある。それに伴い、ユーザーは、設定すべきメニュー項目の選択に手間取ることが増えている。設定すべきメニュー項目を選択するための技術として、例えば特許文献１に開示の技術がある。
【０００４】
特許文献１では、携帯電話機のような無線通信端末１において、着信音の音量を設定する機能設定モードにしたい時、ヘルプキー１２１を押下することにより、設定モード検索画面を表示部１１に表示した後、例えば、「ちゃくしんおん」という検索キーワードを携帯電話機に入力すると、携帯電話機は着信音の音量を設定する機能設定モードに移行する。この設定モードにより、ユーザーはキー操作部１２のキーを操作して着信音を所望の音量に設定する。
【先行技術文献】
【特許文献】
【０００５】
【特許文献１】特開２００４−２０８１９６号公報
【発明の概要】
【発明が解決しようとする課題】
【０００６】
しかしながら、上記従来の技術は、機能設定すべき項目名が思いつかない時には、該当する項目の検索ができず、ユーザーの使い勝手が良くないという課題がある。
【課題を解決するための手段】
【０００７】
上記課題を解決するために、メニュー表示装置は、複数のメニュー項目から、設定対象のメニュー項目を検索するための、少なくともメニュー項目名及びメニュー項目設定値の何れかを入力する操作部と、前記操作部で入力されたメニュー項目名又はメニュー項目設定値を有するメニュー項目を検索する検索部と、前記検索部で検索されたメニュー項目に対するメニュー項目設定値の設定を可能とするメニュー設定画面を表示するメニュー設定部と、を備える。
【発明の効果】
【０００８】
上記の構成によって、ユーザーは、メニュー項目のみならず、メニュー項目設定値を用いてメニュー項目を選択できるため、メニュー項目選択時の使い勝手が向上する。
【図面の簡単な説明】
【０００９】
【図１】実施の形態１におけるメニュー表示装置の構成を示すブロック図
【図２】実施の形態１におけるメニュー表示装置の動作を示すフローチャート
【図３】実施の形態１における検索メニュー画面を示す図
【図４】実施の形態１における設定メニュー画面を示す図
【図５】実施の形態２における内蔵メモリーに保持する別名の一覧を示す図
【発明を実施するための形態】
【００１０】
実施の形態について、図面に基づいて詳細に説明する。
【００１１】
（実施の形態１）
図１は、実施の形態１に係わるメニュー表示装置の一例である液晶ビデオモニターの構成を示すブロック図である。図１において、液晶ビデオモニター１０６は、入力される複数の信号から表示する信号を選択する入力信号選択部１００と、選択されたビデオ信号を液晶パネル１０５への信号に変換する画像処理回路１０１と、入力信号を表示する液晶パネル１０５と、ユーザーの操作を受け付ける操作部１０４と、ユーザーの操作を受け付けて各回路の制御を行うマイコン１０２と、メニュー表示を液晶パネル１０５への信号に重畳させるＯＳＤ回路１０３により構成される。
【００１２】
入力信号選択部１００には、入力信号として、コンポジットビデオ信号、コンポーネントビデオ信号、デジタルビデオ信号、ＰＣ信号などの信号が入力される。入力信号選択部１００は、入力された信号から、操作部１０４を介してユーザーにより指定された信号を選択し、出力する。入力信号選択部１００は、ビデオスイッチャーにより構成される。
【００１３】
画像処理回路１０１は、コントラスト、ブライトネスや色温度と言った画質調整を行うビデオ回路やビデオ信号を液晶パネル１０５の表示画素数への変換を行うフォーマットコンバーターなどの複数の回路により構成される。画像処理回路１０１は、ＩＣ（Ｉｎ  Ｃｉｒｃｕｉｔ）により構成される。
【００１４】
マイコン１０２は、プログラムを実行するＣＰＵ（Ｃｅｎｔｒａｌ  Ｐｒｏｃｅｓｓｉｎｇ  Ｕｎｉｔ）と、プログラムおよびそのデータや、機器のユーザー設定値を記録する内蔵メモリーと、各回路などを制御するためのインターフェース部より構成される。
【００１５】
操作部１０４は、入力信号に対応した選択ボタンとＭＥＮＵ，ＥＸＩＴ，ＵＰ，ＤＯＷＮ，ＬＥＦＴ，ＲＩＧＨＴ，ＥＮＴＥＲなどのメニュー操作ボタンにより構成される。
【００１６】
ＯＳＤ回路１０３は、マイコン１０２より設定される文字コードをビデオ信号に変換して映像信号に重畳し、液晶パネル１０５にメニュー画面の表示を行う。
【００１７】
液晶パネル１０５は、入力信号の表示を行う。また、液晶ビデオモニター１０６の機器設定の変更を行うときのメニュー表示を行う。なお、本実施の形態では、表示パネルとして液晶パネルを用いる形態について説明するが、これに限定されず、プラズマ、有機ＥＬ（Ｅｌｅｃｔｒｏ  Ｌｕｍｉｎｅｓｃｅｎｃｅ）等どのような表示パネルであってもよい。
【００１８】
次に本実施の形態における液晶ビデオモニター１０６の動作について、図２に示すフローチャートを用いて説明する。
【００１９】
ユーザーは、入力信号を切り替えたい時、操作部１０４の入力ボタンを押下する。マイコン１０２は、操作部１０４を介して入力ボタンの押下を検出する（ステップ２０１）。
【００２０】
マイコン１０２は、入力ボタンの押下を検出すると、入力信号選択部１００を制御し、選択されたビデオ信号に切り替える（ステップ２０２）。
【００２１】
マイコン１０２は、入力信号選択部１００が出力するビデオ信号と、ユーザーが別途設定したメニュー設定に合わせて、画像処理回路１０１の設定を行う。入力されたビデオ信号は、画像処理回路１０１により画質調整が加えられ液晶パネル１０５への入力信号に変換され、液晶パネル１０５に表示される（ステップ２０３）。
【００２２】
液晶パネル１０５に表示された映像の画質調整などを行う時、ユーザーは、操作部１０４の入力ボタンを押下せず（ステップ２０１でＮｏ）、操作部１０４のメニューボタンを押下する。マイコン１０２は、操作部１０４を介してメニューボタンの押下を検出する（ステップ２０４でＹｅｓ）。
【００２３】
マイコン１０２は、ＯＳＤ回路１０３を介してメニュー画面を表示する。ＯＳＤ回路１０３は画像処理回路１０１からの信号にメニューデータを重畳させることにより、入力映像と共にメニュー画面が液晶パネル１０５に表示される（ステップ２０５）。
【００２４】
ユーザーは、液晶ビデオモニター１０６の色温度をＤ６５に設定したい場合、操作部１０４を操作して、メニュー一覧の中から、メニュー検索の項目を選択する。マイコン１０２は、ユーザーがメニュー一覧の中からメニュー検索の項目を選択したことを検出する（ステップ２０６）。ユーザーがメニュー一覧の中から、メニュー検索以外の項目を選択した場合は、マイコン１０２は選択されたメニュー項目に応じた処理を行う（ステップ２１２）。
【００２５】
マイコン１０２は、ＯＳＤ回路１０３を制御して検索メニューを表示する（ステップ２０７）。検索メニューの表示画面を図３に示す。
【００２６】
ユーザーは、操作部１０４を操作して、図３中の検索キーワード（ＳＥＡＲＣＨＷＯＲＤ）へ、「Ｄ６５」という文字を入力する。マイコン１０２は、ユーザーのキー操作に合わせて数字およびアルファベットを順次ＯＳＤ回路１０３を介して、液晶パネル１０５に表示する。ユーザーは検索キーワードの入力が完了すると、ＥＮＴＥＲボタンを押下することで、検索キーワードを確定する（ステップ２０８）。
【００２７】
マイコン１０２は選択された検索キーワードにより、内蔵メモリー中で管理する設定可能なメニュー項目の名称と、そのメニュー項目に対応する設定値の一覧から、検索キーワードに合致するメニュー項目名、又は検索キーワードに合致する設定値を設定可能なメニュー項目を検索し、該当するメニュー項目の設定メニューに遷移する。「Ｄ６５」の検索キーワードが選択された場合、メニュー項目「色温度」に対応する設定値として「Ｄ５６」、「Ｄ６５」及び「Ｄ９３」が内蔵メモリー中で管理されており、マイコン１０２は検索キーワード「Ｄ６５」に合致する設定値を設定可能なメニュー項目「色温度」を検索し、ＯＳＤ回路１０３を制御して色温度の設定メニューを表示する（ステップ２０９）。表示する設定メニュー画面を図４に示す。
【００２８】
ユーザーは表示される設定メニューにおいて、現在設定されている値から、操作部１０４を操作して「Ｄ６５」を選択し、ＥＮＴＥＲボタンを押下する。
【００２９】
マイコン１０２は画像処理回路１０１に色温度「Ｄ６５」を設定し、液晶パネル１０５の色温度が変更される（ステップ２１０）。
【００３０】
ユーザーは操作部１０４のＥＸＩＴボタンを押下する。マイコン１０２はＯＳＤ回路１０３を制御して、液晶パネル１０５に表示されているメニュー表示をクリアする（ステップ２１１）。
【００３１】
以上のように、本実施の形態によれば、ユーザーは設定したい設定値を検索メニューで入力するだけで、液晶ビデオモニター１０６の設定したい設定値に対応するメニュー項目の設定を行うことができる。ユーザーは、液晶ビデオモニター１０６の設定メニューに移行するための操作やメニュー項目名を覚えていなくても容易に設定を変更することができる。
【００３２】
（実施の形態２）
図５は、実施の形態２に係るマイコン１０２の内蔵メモリー中に保持するメニュー項目名又はメニュー項目の設定値に対する別名の一覧である。本実施の形態の構成は上記した実施の形態１と同様であるため、同一の構成を持つ各部については、その構成動作の説明を省略し、以下、その動作の特徴部分を説明する。
【００３３】
図５に示すようにマイコン１０２の内蔵メモリーには、設定項目の別名が登録されている。たとえば「Ｄ６５」という設定値に対して「ＮＯＲＭＡＬ」という別名が登録されている。
【００３４】
従って、色温度に「Ｄ６５」を設定したい場合、ユーザーは、検索キーワードに「ＮＯＲＭＡＬ」と入力すると、色温度設定メニューに移動し設定値を変更することができる。
【００３５】
本実施の形態によれば、実施の形態１のように、メニュー設定値と一致しなくても、そのメニュー設定値の別名を登録し、その別名を入力することで所望のメニューに移行することができる。
【００３６】
メニュー項目名及びメニュー設定値の別名の登録は、あらかじめ想定される別名を予測して行っていてもよいし、ユーザーが操作部１０４を操作して行ってもよい。液晶ビデオモニター１０６の製造メーカが代わった場合など、使用される機能は同一だが表す単語が違う場合があり、別名を登録しておくことで不便なく操作ができ、ユーザーの負荷を軽減することができる。
【００３７】
なお、本実施の形態では、メニュー表示装置として、液晶ビデオモニターを用いて説明したが、これに限られず、メニュー設定を行う電子機器であればどのような機器に対しても適用できる。
【産業上の利用可能性】
【００３８】
本実施の形態のメニュー表示装置は、設定すべきメニュー項目を容易に検索可能でユーザーの使い勝手を向上することができ、液晶ビデオモニター等の各種電子機器に適用することができ、有用である。
【符号の説明】
【００３９】
１００  入力信号選択部
１０１  画像処理回路
１０２  マイコン
１０３  ＯＳＤ回路
１０４  操作部
１０５  液晶パネル
１０６  液晶ビデオモニター
【図１】
2011180874.tif 000003
【図２】
2011180874.tif 000004
【図３】
2011180874.tif 000005
【図４】
2011180874.tif 000006
【図５】
2011180874.tif 000007